【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
使用者の頭部の皮膚表面への電気刺激の送達において用いられるヘッドセットであって、前記ヘッドセットは、
（ａ）外周ヘッドセット本体であって、前記本体は、前記使用者の前記頭部の外周に沿うように適合されたモノリシックフレームを有し、前記本体は、電源へ接続されるように適合された電気回路を収容し、前記ヘッドセット本体は、前記ヘッドセット本体の外周の少なくとも一部上に配置された弾性配置構成を含み、前記弾性配置構成は、前記外周に沿って伸長されるように適合されている外周ヘッドセット本体と、
（ｂ）前記ヘッドセット本体へ機械的におよび少なくとも半硬性に接続され、かつ前記電気回路と電気的に関連付けられた少なくとも１つの電極ベースであって、前記電極ベースは、少なくとも１つの電極パッドを受容するように適合されている電極ベースと、
を備え、
前記ヘッドセット本体および前記ベースは、前記使用者による装着時に前記パッドの電気刺激表面を前記皮膚表面へと方向付けるように適合され、
前記弾性配置構成は、前記装着時に前記弾性配置構成が径方向に前記電極ベースを前記皮膚表面へ付勢して前記電極パッドが前記皮膚表面と物理的かつ電気的に接触するように適合され、
前記弾性配置構成および前記電極ベースは、前記弾性配置構成の可変的な伸張のために、前記電極ベースの前記フレームに対する外周位置を固有位置において固定するように適合される、
ヘッドセット。
【請求項２】
前記外周ヘッドセット本体は、前記頭部の前部位周囲に沿うように適合された前方部を有し、前記少なくとも１つの電極ベースのうち少なくとも１つは、前記前部位上に配置された前方電極ベースである、請求項１に記載のヘッドセット。
【請求項３】
前記前方部は、前記外周ヘッドセット本体と物理的に異なる前方機械要素である、請求項２に記載のヘッドセット。
【請求項４】
前記前方機械要素は、前記外周ヘッドセット本体の外周の最大最大４０％にわたる、請求項３に記載のヘッドセット。
【請求項５】
前記外周ヘッドセット本体は前記頭部の後方部位の周囲に沿うように適合された後方部を有し、前記少なくとも１つの電極ベースのうち少なくとも１つは、前記後方部位上に配置された後電極ベースである、請求項１〜４のいずれか１項に記載のヘッドセット。
【請求項６】
前記後方部は、前記外周ヘッドセット本体と物理的に異なる後方機械要素である、請求項５に記載のヘッドセット。
【請求項７】
前記フレームは、前記フレーム上に左右相称に配置された少なくとも半硬質の側部構成要素を備え、前記ヘッドセット本体の外周の側部を形成する、請求項１〜６のいずれか１項に記載のヘッドセット。
【請求項８】
前記フレームは、前記ヘッドセット本体の角度および長手方向の位置決めのための位置決めシステムを備え、前記位置決めシステムは、少なくとも１つの少なくとも半硬質の側部構成要素を備え、前記側部構成要素は、
（ｉ）前記外周の一部を形成し、前記長手方向の位置決めを決定するように前記使用者の耳の上方に沿うように適合された第１の細長要素と、
（ｉｉ）前記細長要素に対して略垂直に配置され、前記ヘッドセット本体の前記角度位置決めを決定するように前記耳の後方に沿うように適合された第２の要素と、
を有する、
請求項１〜７のいずれか１項に記載のヘッドセット。
【請求項９】
前記フレームは、前記ヘッドセット本体の前記外周を固定的に調節するように適合された第１の左右対称のサイズ調節機構を少なくとも備える、請求項１〜８のいずれか１項に記載のヘッドセット。
【請求項１０】
前記フレームは、前記ヘッドセット本体の前記外周を調節するように適合された第１の左右対称のサイズ調節機構および第２の左右対称のサイズ調節機構を備え、前記第１の調節機構は、前記側部構成要素を前記前方部へ接続させ、前記第２の調節機構は、前記側部構成要素を前記後方部へ接続させる、請求項９に記載のヘッドセット。
【請求項１１】
前記第１の調節機構および第２の調節機構は、前記側部構成要素の外周位置が固定されたまま前記ヘッドセット本体の前記外周を調節することができるように適合される、請求項１０に記載のヘッドセット。
【請求項１２】
前記ヘッドセット本体は、電気デバイスの接触表面を前記皮膚表面に並置させるように適合され、前記弾性配置構成は、前記電気デバイスを前記皮膚表面へ径方向に付勢して前記電気デバイスの接触表面を前記皮膚表面と物理的接触させるように適合され、前記弾性配置構成は、前記弾性配置構成の可変的な伸張のため、前記電気デバイスの外周位置が固有位置に固定されるように適合される、請求項１〜請求項１１のいずれか１項に記載のヘッドセット。
【請求項１３】
前記電気デバイスは、前記使用者の前記頭部と関連付けられた本体パラメータを感知するように適合されたセンサーを備える、請求項１２に記載のヘッドセット。
【請求項１４】
前記少なくとも１つの電極パッドをさらに備え、前記パッドは、
（ａ）生体適合性の接触表面を有する水吸収層であって、前記接触表面は、前記皮膚表面に並置されるように適合されている水吸収層と、
（ｂ）前記水吸収層へ取り付けられた電極支持部であって、前記支持部は、少なくとも１つの導電性材料または要素を備え、前記導電性材料または要素は、前記水吸収層が水で充填されたときに前記水吸収層と電気的に接続される、電極支持部と、
を備え、
前記生体適合性の接触表面は、
（ｉ）最大長さが２０ｍｍ〜５５ｍｍである長尺部（ＤＬ）と、
（ｉｉ）最大長さが１０ｍｍ〜２５ｍｍである短尺部（ＤＮ）と
を有し、
前記生体適合性の接触表面の周縁の第１の側は、前記凹面の対向する端部に配置された第１の境界点および第２の境界点によって規定される凹面を有する略凹状の外形を有し、
【数１】
2016515404.tif 000001
であり、
Ａは、前記線および前記凹面によって境界を定められた領域であり、
Ｌは、前記境界点間の線の長さであり、
前記長さ（Ｌ）は少なくとも１０ｍｍであり、
前記凹状の外形上の第１の点と前記凹状の外形の反対側の側上の前記周縁上の第２の点との間に線が配置され、前記第１の点において前記外形に対して垂直に整列され、長さＨを有し、
前記凹状の外形の全体において、
【数２】
2016515404.tif 000002
であり、
Ｈｍａｘは、前記全体におけるＨの最大値であり、
Ｈｍｉｎは、前記全体におけるＨの最小値である、
請求項１〜請求項１３のいずれか１項に記載のヘッドセット。
【請求項１５】
前記少なくとも１つの電極パッドは、
（ａ）生体適合性の導電性接触表面を有する水吸収層であって、前記接触表面は、前記皮膚表面に並置されるように適合されている水吸収層と、
（ｂ）前記水吸収層へ取り付けられた広範な第１の面を有する導電性層であって、前記導電性層は、少なくとも１つの導電性材料または要素を備え、前記導電性層は、前記第１の面から遠位にある広範な第２の面から電流を一体構造を形成する前記第１の面、前記水吸収層および前記導電性層を介して前記水吸収層へ移動させるように適合されている導電性層と、
を備える、請求項１〜請求項１４のいずれか１項に記載のヘッドセット。
【請求項１６】
前記水吸収層は、不織布、フェルトまたはスポンジからなる群から選択される少なくとも１つの材料を含む、請求項１５に記載のヘッドセット。
【請求項１７】
前記導電性層は、好適にはメッシュパターンに配置された導電性塗料層を前記第２の面上に有する、請求項１５または請求項１６に記載のヘッドセット。
【請求項１８】
前記導電性層は炭素フォイルを含む、請求項１５〜請求項１７のいずれか１項に記載のヘッドセット。
【請求項１９】
前記導電性炭素膜または炭素フォイルは、１〜１８０Ω／□または３０〜１００Ω／□の抵抗を有する、請求項１８に記載のヘッドセット。
【請求項２０】
前記水吸収層および前記導電性層は、一体構造を形成する前記導電性塗料層を有する、請求項１７〜請求項１９のいずれか１項に記載のヘッドセット。
【請求項２１】
前記電極ベースは、
（ａ）フロアと、前記フロアを包囲する可撓性の外周部材とを備えるハウジングであって、概して前記フロアの周縁の上方に延びる可撓性の外周壁を有し、前記壁は、外周リムにおいて終端し、前記フロアおよび前記可撓性の外周部材は、導電性電極パッドを受容するように適合された空洞を形成する、ハウジングと、
（ｂ）前記フロアの少なくとも上方または内部に配置された導電性材料であって、前記導電性層は、導電体によって電気回路へ電気的に関連付けられるように適合され、前記パッドが挿入された場合、前記電極パッドと電気的に通信するように適合されている導電性材料と、
を有する、
前記リムおよび前記可撓性の外周壁は、前記電極ベースへの圧力印加が前記リムに対して略垂直に使用者の皮膚表面に向かって付与されると、前記リムが前記皮膚表面へ付勢されて、前記空洞と雰囲気または外部環境との間が実質的に流体封止されるように適合されている導電性材料とを有する、
請求項１〜請求項２０のいずれか１項に記載のヘッドセット。